(57)【要約】      （修正有）【課題】簡単な構成により商品見本毎に任意の商品情報を表示することが可能な自動販売機の商品情報表示装置を提供する。【解決手段】商品情報表示体２をその表面に商品情報を表示した可撓性材料（例えばプラスチックフィルム）により形成するとともにカール状の巻き癖をつけて形成する。そして、ディスプレイ台１の前面部に商品情報表示体２を挿通可能な上下一対の挿通孔１４，１４を形成し、当該一対の挿通孔１４，１４に商品情報表示体２を挿通してディスプレイ台１の前面に一つの商品情報が露出し、かつ、その両端がディスプレイ台１の内部に位置するように配設する。この場合、商品情報表示体２の両端は巻き癖により円筒状に丸まって互いに引っ張り合うようになり、これにより商品情報表示体２はディスプレイ台１に商品情報表示体自身の巻き癖の撓みにより装着状態に保持される。【選択図】図２
2008282317.tif 000002
【特許請求の範囲】
【請求項１】
外扉のディスプレイ室内に展示された商品見本に対応して商品情報を表示する商品情報表示体を備えた自動販売機の商品情報表示装置において、前記商品情報表示体はその表面に商品情報を表示した可撓性材料からなるとともにカール状の巻き癖をつけてなり、前記商品情報表示体を巻き癖の撓みによりディスプレイ台に取付け、ディスプレイ台の前面に一つの商品情報が露出するように配設したことを特徴とする自動販売機の商品情報表示装置。
【請求項２】
請求項１に記載の自動販売機の商品情報表示装置において、商品情報表示体はディスプレイ台の前面部に形成した上下一対の挿通孔に挿通して配設したことを特徴とする自動販売機の商品情報表示装置。
【請求項３】
請求項１または２に記載の自動販売機の商品情報表示装置において、商品情報表示体はプラスチックフィルムからなることを特徴とする自動販売機の商品情報表示装置。
【請求項４】
請求項１ないし３のいずれかに記載の自動販売機の商品情報表示装置において、商品情報表示体は価格情報を表す価格情報表示体であることを特徴とする自動販売機の商品情報表示装置。
【請求項５】
請求項１ないし３のいずれかに記載の自動販売機の商品情報表示装置において、商品情報表示体は冷温情報を表す冷温情報表示体であることを特徴とする自動販売機の商品情報表示装置。
【発明の詳細な説明】
【技術分野】
【０００１】
この発明は、自動販売機における外扉のディスプレイ室内に設置したディスプレイ台上に複数の商品見本を左右に並べて展示し、該商品見本に対応して商品情報を表示する商品情報表示装置に関する。
【背景技術】
【０００２】
自動販売機の外扉には販売する商品の商品見本を展示するためディスプレイ室が設けられ、前記商品見本はディスプレイ室内に設置したディスプレイ台上に左右に並べて展示されている。このディスプレイ台に展示された商品見本の価格情報や冷温情報などの商品情報を表示するためディスプレイ台には価格情報を表示する価格情報表示体や冷温情報表示体が設けられている。この種の従来の自動販売機を図５，図６を用いて説明する。
図に示すように、この自動販売機は、前面が開放した断熱筐体として形成された本体キャビネット１０と、本体キャビネット１０の前面に開閉可能に支持された外扉２０とからなる。本体キャビネット１０における商品収納庫の前面は開閉可能な断熱内扉３０によって閉塞されている。本体キャビネット１０の庫内には、断熱仕切壁により左右方向に複数の商品収納室に区分され、各商品収納室は、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
【０００３】
前記外扉２０の前面の上部域は透明板４０で覆われ、この透明板４０と外扉２０に開閉可能に軸支された中扉６０との間の空間がディスプレイ室５０として形成されている。前記中扉６０の前面には、本体キャビネット１０の庫内に収容した商品に対応した複数の商品見本８０を左右に一列に並べて載置したディスプレイ台７０が上下方向に３段取付けられている。前記透明板４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン（不図示）を有している。前記商品選択ボタンには売り切れランプおよび販売可能ランプが内蔵されている。また、前記外扉２０の前面には硬貨投入部２１の投入口、紙幣投入部２２の投入口、釣銭返却部２３の返却口、商品取出口２４に加え、不図示の返却レバーおよびロック付ハンドル（ロック装置）などが設けられている。さらに、前記外扉２０の背面には硬貨投入部２１の投入口に連通したコインメカニズム２５、このコインメカニズム２５に連通した金庫２６、紙幣投入部２２の投入口に連通した紙幣識別装置２７などが設けられている。なお、ディスプレイ室５０の上部およびディスプレイ台７０の下部には商品サンプル８０などを明るく照らす照明光源としての蛍光灯（不図示）が配設されている。
【０００４】
かかる自動販売機はキー操作によりロック付ハンドル（ロック装置）を鎖錠して外扉２０を閉じた状態で商用電源からの電力供給を受けてディスプレイ室５０内の蛍光灯を点灯制御して商品サンプル８０などを明るく照らし出すとともに冷却／加熱ユニットを運転制御して庫内の商品を冷却／加熱する。硬貨または紙幣が投入されるとコインメカニズム２５または紙幣識別装置２７で識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて前記商品払出機構はソレノイドの励磁・釈放動作により商品収納ラックに収納した商品を１個づつ搬出する。
【０００５】
前記外扉２０に区画形成されたディスプレイ室５０に配設されたディスプレイ台７０を図６に示す。図６はディスプレイ台７０を分解して示す分解斜視図である。
図６においてディスプレイ台７０は、光透過材料からなる商品見本８０（図５参照）を載置する載置台７１と図では隠れて見えない左右一対の固定部材からなる。前記載置台７１は上面部７１１と、この上面部７１１の両端から下方に延在された左右側壁７１２，７１２、および前面部７１３を有して底面部と背面部が開放するように形成されている。前記左右側壁７１２，７１２の内側に位置してこの左右側壁７１２，７１２により隠れて見えない前記左右一対の固定部材は図５に示した中扉６０に固着され、この固定部材を覆うように載置台７１が取付けられる。前記上面部７１１には透明材料からなる商品見本８０が嵌合保持される開口部７１４が左右方向に複数、この例では１２個並設されている。また、前記載置台７０の前面部７１３には各商品見本８に対応して複数、この例では１２個の透光穴７１５が設けられ、そして、この前面部７１３の下端には前方側に折り返して形成したガイド部７１６が長手方向に延在して設けられている。
【０００６】
前記載置台７１の前面部７１３に形成したガイド部７１６には冷温情報表示体７２と価格情報表示体７３が前後に重ねて取付けられる。冷温情報表示体７２は載置台７１の前面部７１３の左右方向に沿うように横長の短冊状に形成され、自動販売機の商品収納室（図示せず）に収納した商品の冷却・加熱状態を表す冷温パターン、例えば、商品の冷却状態を表す冷温パターンとして白抜きの文字（例えば「ＣＯＬＤ」）の背景に寒色の背景色（例えば青色）の印刷と、商品の加熱状態をあらわす冷温パターンとして白抜きの文字（例えば「ＨＯＴ」）の背景に暖色の背景色（例えば赤色）の印刷が施されている。価格情報表示体７３は冷温情報表示体７２の幅に略一致する幅の短冊状に形成された光透過板からなり、その前面の上方域には商品の価格情報を表す価格パターン７３１（例えば「￥１２０」の文字）が印刷してあり、下方域には開口７３２が形成されており、この開口７３２から冷温情報表示体７２の冷温パターンが表示される。
【０００７】
前記ディスプレイ台７０における載置台７１の下方には蛍光灯７４が配設される。この蛍光灯７４は、中扉６０に係止される左右一対の蛍光灯取付金具７４１に設けたソケット７４２に取付けられる。この蛍光灯７４の光が載置台７１の開口部７１４を通して光透過材料からなる商品見本８０の内部に導入され、商品見本８０が内部から照明される。また、上段のディスプレイ台７０の下部に配設された蛍光灯７４によって商品見本８０は上方からも照明される。最上段のディスプレイ台７０に載置された商品見本８０はディスプレイ室５０の上方に配置した蛍光灯（不図示）によって上方から照明される。
【０００８】
ところで、この種の自動販売機ではディスプレイ台７０に展示される商品見本の商品情報は変更可能であることが要望されている。例えば、商品の価格情報については商品価格そのものを変更する場合や自動販売機で販売する商品を異なる商品価格の商品に入れ替る場合などに価格パターンを変更せねばならず、商品の冷温情報については季節の変わり目毎に冷温パターンを切り替えねばならない。また、ディスプレイ台に展示される商品見本毎に価格パターンや冷温パターンの変更を可能とすることによりディスプレイ室内の展示パターンをユーザー毎に変えることができる。このため、ディスプレイ台に展示される商品見本毎に価格パターンや冷温パターンを表示したカード形式の価格情報表示体や冷温情報表示体を設け、このカード形式の価格情報表示体や冷温情報表示体をディスプレイ台に差し込むようにしたものが知られている（例えば、特許文献１）。また、ディスプレイ台に展示される商品見本毎に価格パターンや冷温パターンを表示するため商品選択ボタンに価格情報表示体や冷温情報表示体を設けたものも知られている（例えば、特許文献２および特許文献３）。
【特許文献１】特開平６−１５０１２５号公報
【特許文献２】特開２００１−１２６１２８号公報
【特許文献３】特開２００２−２４５５２５号公報
【発明の開示】
【発明が解決しようとする課題】
【０００９】
前記特許文献１に記載された発明においては、ディスプレイ台に差し込まれたカード形式の価格情報表示体や冷温情報表示体を交換することにより商品見本毎に価格パターンや冷温パターンを変更することができる。この場合、冷温パターンを表すカードについては上下方向に２分割してそれぞれの領域に冷温パターンを表示することにより商品見本毎に一枚のカードを用意すればよいが、価格パターンを表示するカードについては商品見本毎に複数のカードを用意せねばならないとともに使用していないカードを保管しておかねばならないという課題を有する。一方、特許文献２では無端帯状の表示体に価格パターン,冷温パターンを表示して当該表示体を周回させるように構成され、特許文献３では表示体が円板状に形成され、この表示体に価格パターンまたは冷温パターンを個別に表示し、それぞれの表示体を回転させるように構成されており、これらの特許文献２,３に記載された発明においては特許文献１の課題を解決することができる。しかしながら、特許文献２では無端帯状の表示体の長さに限りがあり、特許文献３では円板状の表示体の径に限りがあることから、例えば価格パターンについては代表的な価格パターンを表示しておき、表示されていない価格パターンが必要となった場合には当該価格パターンを表示したシールを貼り付けるなどの措置をとらねばならず、任意の商品情報、特に任意の価格パターンを表示することができないという課題を有する。
【００１０】
本発明は上記の点に鑑みなされたものであり、その目的は前記課題を解決し、簡単な構成により商品見本毎に任意の商品情報を表示することが可能な自動販売機の商品情報表示装置を提供することにある。
【課題を解決するための手段】
【００１１】
上記目的を達成するために本発明によれば、外扉に形成されたディスプレイ室内に展示された商品見本に対応して商品情報を表示する商品情報表示体を備えた自動販売機の商品情報表示装置において、前記商品情報表示体をその表面に商品情報を表示した可撓性材料（例えばプラスチックフィルム）により形成するとともにカール状の巻き癖をつけて形成する。そして、前記商品情報表示体を巻き癖の撓みを利用してディスプレイ台に取付ける。例えば、ディスプレイ台の前面部に商品情報表示体を挿通可能な上下一対の挿通孔を形成し、当該一対の挿通孔に商品情報表示体を挿通してディスプレイ台の前面に一つの商品情報が露出し、かつ、その両端がディスプレイ台の内部に位置するように配設する。この場合、商品情報表示体の両端は巻き癖により円筒状に丸まって互いに引っ張り合うようになり、これにより商品情報表示体はディスプレイ台に商品情報表示体自身の巻き癖の撓みにより装着状態に保持される。このようにディスプレイ台に保持された商品情報の変更はディスプレイ台の前面部に露出した商品情報表示体を指で上下方向にスライドさせることによりディスプレイ台から引き出された新たな商品情報がディスプレイ台の前面に表示される。この時、ディスプレイ台から引き出される端部側は巻き戻されるとともにディスプレイ台に送り込まれる端部側は巻き癖により巻き込まれる。
【発明の効果】
【００１２】
本発明によれば、外扉に形成されたディスプレイ室内に展示された商品見本に対応して商品情報を表示する商品情報表示体を備えた自動販売機の商品情報表示装置において、前記商品情報表示体はその表面に商品情報を表示した可撓性材料からなるとともにカール状の巻き癖をつけてなり、前記商品情報表示体を巻き癖の撓みによりディスプレイ台に取付け、ディスプレイ台の前面に一つの商品情報が露出するように配設したことにより、商品情報表示体はディスプレイ台に商品情報表示体自身の巻き癖の撓みにより装着状態に保持されることから商品情報表示装置を簡単な構造により構成することができ、また、簡単な操作により任意の商品情報を表示することができるという効果を有する。
【発明を実施するための最良の形態】
【００１３】
以下、本発明の実施の形態を図１〜図４に示す実施例に基づいて説明する。図１は本発明の主要部であるディスプレイ台を示す分解斜視図、図２は図１に示すディスプレイ台を背面から見た斜視図、図３は商品情報表示体の展開図、図４は図２のＡ−Ａ線で切断したディスプレイ台の側面断面図である。なお、この実施の形態の図中で図５，図６に対応する部材には同一の符号を付してその説明は省略する。
【００１４】
図において１はディスプレイ台、２は前記ディスプレイ台１に取付けられた商品情報表示体としての価格情報表示体、３は前記ディスプレイ台１の前面に装着される冷温情報表示体、４は価格情報表示体２の保護枠である。前記ディスプレイ台１は商品見本を載置する上面部１１と、この上面部１１の両端から下方に延在された左右側壁１２，１２および前面部１３を有して下面部および背面部が開放するように形成されている。前記上面部１１には係合穴１Ａが左右方向に複数、この例では８個並設され、それぞれの係合穴１Ａに商品見本が嵌合保持される。また、前記ディスプレイ台１の前面部１３には各商品見本毎に上下一対の挿通孔１４（図２参照）が設けられ、そして、この前面部１３の下端には、図４の断面図に示すように、前方側に折り曲げて形成したガイド部１３ａが長手方向に延在して設けられている。前記ディスプレイ台１の左右側壁１２，１２の内面に不図示の固定部材が配設され、この固定部材は図５に示した中扉６０に固着されている。この固定部材にディスプレイ台１を被せるように取付けることによりディスプレイ台１がディスプレイ室５０に配設される。
前記ディスプレイ台１に展示される各商品見本に対応してディスプレイ台１の前面部１３に設けた上下一対の挿通孔１４には価格情報表示体２が挿通して配設されている。図３は前記価格情報表示体２を展開した展開図であり、この価格情報表示体２は可撓性を有するプラスチックシートにより短冊状に形成され、百の位の１から９の数字および貨幣単位（￥）が印刷された上位桁表示体２１と、十の位の０〜９および一の位の０の数字が印刷された下位桁表示体２２からなる。なお、以下の説明で上位桁表示体２１と下位桁表示体２２とに共通の構成や作用については価格情報表示体２と述べることとする。図３の展開状態で短冊状の前記価格情報表示体２は丸めてカール状の巻き癖が付与され、フリーな状態では円筒状に丸まるように構成されている。
【００１５】
前記したようにカール状の巻き癖が付けられた価格情報表示体２は、図４に示すように、前記ディスプレイ台１の前面部１３に形成された上下一対の挿通孔１４に挿通して配設される。すなわち、円筒状に丸まった価格情報表示体２の一端をディスプレイ台１における前面部１３の背面側から一方の挿通孔１４に挿通させてディスプレイ台１の前面に引き出す。このとき、価格情報表示体２の他端は円筒状に丸まっている。次いで、前面に引き出された価格情報表示体２の一端を他方の挿通孔１４に挿通させてディスプレイ台１における前面部１３の背面側に送り込む。このようにディスプレイ台１の前面部１３の背面側に送り込まれた価格情報表示体２の一端は予め付与された巻き癖により円筒状に丸まる。従って、上下一対の挿通孔１４に挿通して配設された価格情報表示体２の両端は巻き癖により互いに引っ張り合うように円筒状に丸まり、予め付与された巻き癖の撓みによってディスプレイ台１に装着される。ディスプレイ台１に取付けられた価格情報表示体２の両端の背後は図２に示す保護枠４で覆われるように構成されている。前述したようにディスプレイ台１に取付けられた価格情報表示体２によりディスプレイ台１の前面部には価格情報を表す価格パターン２３（例えば「￥１２０」の文字）が表示される。
【００１６】
図１に戻り、冷温情報表示体３は前記価格情報表示体２の価格パターン２３に対応する部分に窓３１を有し、かつ、前記窓３１を挟んで上下逆さまに冷温情報を表す冷温パターン３２（例えば、寒色のＣＯＬＤと暖色のＨＯＴの文字）が印刷されている。この冷温情報表示体３はディスプレイ台１の前面部１３に折り返して形成したガイド部１３ａに装着され、前記窓３１から価格パターン２３を表示するとともに窓３１の上端側の冷温パターン３２（例えばＣＯＬＤ）を表示する。なお、冷温情報表示体３の下端側の冷温パターン（例えば、ＨＯＴ）はディスプレイ台１のガイド部１３ａに隠れて見えないように構成されている。
【００１７】
前述したようにディスプレイ台１に巻き癖の撓みにより取付けられた価格情報表示体２はディスプレイ台１に展示される商品見本毎に配設されており、その商品見本毎に価格情報を変更することができ、次にその価格情報の変更操作について次に説明する。
前記価格情報表示体２における価格情報（価格パターン）の変更は、図５に示す外扉２を開くとともに外扉２０に係止された中扉６０を開いてディスプレイ台１の前面を開放させた状態で行われる。ディスプレイ台１の前面を開放させた状態において、価格情報表示体２は冷温情報表示体３の窓３１から露出しており、当該窓３１を介して価格情報表示体２に触れることができる。そこで、前記窓３１を介して価格情報表示体２に指先を押し当てて価格情報表示体２を上下のいずれか一方にスライドさせる。このとき、ディスプレイ台１の前面側に引き出される価格情報表示体２の一端側では巻き戻され、一方、ディスプレイ台１から押し込まれる価格情報表示体２の他端側では巻き癖により巻き込まれる。このように価格情報表示体２をスライドさせることにより冷温情報表示体３の窓３１と価格情報表示体２の文字が相対的に移動して新たな価格パターンが窓３１から表示される。このような操作を上位桁表示体２１若しくは下位桁表示体２２について行うことにより価格情報表示体２の価格パターンが変更される。この場合、上位桁表示体２１若しくは下位桁表示体２２にはそれぞれ通しで文字が印刷されていることから任意の価格パターンに変更することができる。
【００１８】
この実施の形態においては、図５に示した外扉２０のディスプレイ室５０内に展示された商品見本８０に対応して商品情報（価格情報）を表示する価格情報表示体（商品情報表示体）２を備えた自動販売機の商品情報表示装置において、前記価格情報表示体２はその表面に価格情報（商品情報）を表示した可撓性材料からなるとともにカール状の巻き癖をつけてなり、前記価格情報表示体２を巻き癖の撓みによりディスプレイ台１に取付け、ディスプレイ台１の前面に一つの価格情報が表示されるように配設したことにより、簡単な構成で任意の価格情報を表示することができるものである。
【００１９】
前記実施の形態においては商品情報表示体として価格情報を表す価格情報表示体について説明したが、商品情報表示体として商品の冷温情報を表す冷温情報表示体に適用することができるものである。この場合、冷温情報表示体は一枚のプラスチックシートにより形成し、その中間部から上部領域に冷蔵状態を表すＣＯＬＤ、下部領域に温蔵状態を表すＨＯＴの文字を複数列印刷したものとすることができる。
【００２０】
また、商品情報表示体をディスプレイ台に取付ける方法はディスプレイ台の前面部に上下一対の挿通孔を形成して商品情報表示体を挿通させるものに限るものではなく、本発明を逸脱しない範囲で適宜実施できるものである。
【００２１】
以上に説明した本発明に係る自動販売機は缶入り飲料、瓶入り飲料、ペットボトル入り飲料、紙パック入り飲料などの商品を販売するのに有用である。
【図面の簡単な説明】
【００２２】
【図１】本発明の実施の形態にかかる自動販売機の商品情報表示装置におけるディスプレイ台を示す分解斜視図である。
【図２】図１におけるディスプレイ台を背面から見た分解斜視図である。
【図３】本発明の価格情報表示体を示す展開図である。
【図４】図２のＡ−Ａ線で切断したディスプレイ台の側面断面図である。
【図５】本発明が対象とする自動販売機の一例を示す斜視図である。
【図６】従来装置におけるディスプレイ台を示す分解斜視図である。
【符号の説明】
【００２３】
１    ディスプレイ台
２    価格情報表示体（商品情報表示体）
３    冷温情報表示体（商品情報表示体）
１４    挿通孔
２１    上位桁表示体
２２    下位桁表示体
２３    価格パターン
３１    窓
３２    冷温パターン
２０    外扉
５０    ディスプレイ室
【図１】
2008282317.tif 000003
【図２】
2008282317.tif 000004
【図３】
2008282317.tif 000005
【図４】
2008282317.tif 000006
【図５】
2008282317.tif 000007
【図６】
2008282317.tif 000008